(57)【要約】【課題】水栓本体に対する吐水部材の取付けを外観上においても品質上においても良好に行うことができ、吐水部材の吐水口を所定の向きに容易に向かせることができ、構造はシンプルでありながら吐水部材を水栓本体に対して強固に取り付けることができる水栓及びその組立て方法を提供すること。【解決手段】水栓本体１と、水栓本体に装着された吐水部材２とを備え、水栓本体は内部に連接管１３が配置された後向き開口部Ｈを備え、水栓本体内に導入された水が連接管の内部を経て水栓本体の後側に導出されるように構成され、吐水部材は、連接管に外嵌される筒部５４と、筒部内から水栓本体の後方及び上方をこの順に経て前方に至る水路と、水路の下流部に設けられた横長の吐水口３とを備え、筒部の外周面にはテーパ溝５５が設けられ、後向き開口部にはテーパ溝の溝壁に先端部が当接する固定ねじ４５が螺合するねじ孔４３が連通している。【選択図】図２
2010126930.tif 000002
【特許請求の範囲】
【請求項１】
水栓本体と、該水栓本体に装着された吐水部材とを備えた水栓であって、
前記水栓本体は、該水栓本体の後側に開口し、内部に該水栓本体の後側に向けて延びる連接管が配置された後向き開口部を備え、該水栓本体内に導入された水が前記連接管の内部を経て該水栓本体の後側に導出されるように構成され、
前記吐水部材は、前記後向き開口部の内側において前記連接管に外嵌される筒部と、該筒部内から前記水栓本体の後方及び上方をこの順に経て該水栓本体の前方に至る水路と、該水路の下流部に設けられた横長の吐水口とを備え、
また、前記筒部の外周面には該外周面の周方向に沿って環状のテーパ溝が設けられ、前記水栓本体の前記後向き開口部には、前記テーパ溝の溝壁に先端部が当接する固定ねじが螺合するねじ孔が連通している水栓。
【請求項２】
前記ねじ孔が前記水栓本体に対して左右対称に二つ設けられている請求項１に記載の水栓。
【請求項３】
前記水栓本体の後面に凹部が設けられ、前記吐水部材の前面に前記凹部に嵌入される凸部が設けられている請求項１または２に記載の水栓。
【請求項４】
請求項１〜３の何れかに記載の水栓の前記吐水部材を前記水栓本体に接続する水栓の組立て方法であって、
前記吐水部材の前記筒部を前記水栓本体の前記連接管に外嵌した後、前記ねじ孔内に前記固定ねじを螺進させ、該固定ねじの先端部を前記筒部の前記テーパ溝の溝壁に当接させる水栓の組立て方法。
【発明の詳細な説明】
【技術分野】
【０００１】
この発明は、例えば、横長の吐水口を備え、この吐水口から幅広で帯状（膜状）の吐水を行う水栓及びその組立て方法に関する。
【背景技術】
【０００２】
例えば、従来の水栓として、水栓本体に対して、吐水部材をろう付により一体にしたものがある。この水栓では、ろう付の際に、ろう材料が接合部分からはみ出したり接合部分が変形したりし、外観上あるいは品質上の問題が生じる懸念がある。
【０００３】
【特許文献１】特開２００１−２６９５４号公報
【発明の開示】
【発明が解決しようとする課題】
【０００４】
そこで、特許文献１が示すように、ろう付に代えて接続管を用いることにより、吐水部材（吐出管）を水栓本体（水栓胴部）に接続することも考えられる。すなわち、後端側に雄ねじを有する接続管を水栓本体に挿入し、雄ねじのみが水栓本体外に突出した状態にして接続管を水栓本体に固定した後、この接続管の雄ねじに吐水部材の一端側に設けた雌ねじを螺着する方法である。しかし、この方法では、水栓本体の外面と吐水部材の一端部との間に隙間が形成されてしまうおそれがある。また、吐水部材は湾曲しており、その他端側の吐水口を所定の向き（通常は下向き）に向けておく必要があるが、接続管に対して吐水部材を螺着接続した時点でこの吐水口が所定の向きに向かない懸念もある。
【０００５】
また、特に横長の吐水口を有する吐水部材を備えた水栓では、人が吐水口の左右端部を誤ってあるいは意図的に下方に押圧しても、その押圧力により吐水部材の取付け姿勢が簡単には歪んだりしないように吐水部材の水栓本体に対する取付けを強固にしておく必要があるが、このような取付け強度の向上は水栓構造の複雑化を招来する原因になりかねないという問題もある。
【０００６】
本発明は上述の実情に鑑みてなされたもので、その目的は、水栓本体に対する吐水部材の取付けを外観上においても品質上においても良好に行うことができ、また、吐水部材の吐水口を所定の向きに容易に向かせることができ、さらに、構造はシンプルでありながら吐水部材を水栓本体に対して強固に取り付けることができる水栓及びその組立て方法を提供することにある。
【課題を解決するための手段】
【０００７】
上記目的を達成するために、本発明に係る水栓は、水栓本体と、該水栓本体に装着された吐水部材とを備えた水栓であって、前記水栓本体は、該水栓本体の後側に開口し、内部に該水栓本体の後側に向けて延びる連接管が配置された後向き開口部を備え、該水栓本体内に導入された水が前記連接管の内部を経て該水栓本体の後側に導出されるように構成され、前記吐水部材は、前記後向き開口部の内側において前記連接管に外嵌される筒部と、該筒部内から前記水栓本体の後方及び上方をこの順に経て該水栓本体の前方に至る水路と、該水路の下流部に設けられた横長の吐水口とを備え、また、前記筒部の外周面には該外周面の周方向に沿って環状のテーパ溝が設けられ、前記水栓本体の前記後向き開口部には、前記テーパ溝の溝壁に先端部が当接する固定ねじが螺合するねじ孔が連通している（請求項１）。
【０００８】
上記水栓において、前記ねじ孔が前記水栓本体に対して左右対称に二つ設けられていてもよい（請求項２）。
【０００９】
また、上記水栓において、前記水栓本体の後面に凹部が設けられ、前記吐水部材の前面に前記凹部に嵌入される凸部が設けられていてもよい（請求項３）。
【００１０】
一方、上記目的を達成するために、本発明に係る水栓の組立て方法は、請求項１〜３の何れかに記載の水栓の前記吐水部材を前記水栓本体に接続する水栓の組立て方法であって、前記吐水部材の前記筒部を前記水栓本体の前記連接管に外嵌した後、前記ねじ孔内に前記固定ねじを螺進させ、該固定ねじの先端部を前記筒部の前記テーパ溝の溝壁に当接させる（請求項４）。
【発明の効果】
【００１１】
請求項１〜４に係る発明では、水栓本体に対する吐水部材の取付けを外観上においても品質上においても良好に行うことができ、また、吐水部材の吐水口を所定の向きに容易に向かせることができ、さらに、構造はシンプルでありながら吐水部材を水栓本体に対して強固に取り付けることができる水栓及びその組立て方法が得られる。
【００１２】
すなわち、請求項１に係る発明では、水栓本体に対して吐水部材を接続するに際して、従来の水栓のようにろう付するのではなく、固定ねじを用いて接続するようにしてあるので、ろう材料のはみ出しや接合部分の変形の問題が生じず、外観及び品質の両方を向上することができる。
【００１３】
しかも、請求項１に係る発明では、固定ねじを筒部のテーパ溝の溝壁に対して強固に当接させるだけで、吐水部材を水栓本体に対して強固に取り付けることができ、また、吐水部材を水栓本体に取り付けるための構造が極めてシンプルなものとなる。
【００１４】
加えて、請求項２に係る発明では、二つの固定ねじが筒部のテーパ溝の溝壁に対して左右対称に当接するので、人が吐水口の左右端部を誤ってあるいは意図的に下方に押圧しても、その押圧力により吐水部材の取付け姿勢が歪むことはない。
【００１５】
さらに、請求項３に係る発明では、水栓本体の後面の凹部に吐水部材の前面の凸部を嵌入するという簡単な作業を行うだけで、吐水部材の吐水口を所定の向きに向かせることができる。
【００１６】
そして、請求項４に係る発明では、前記吐水部材を前記水栓本体に対して極めて容易に取り付けることができるので、上記の効果を奏する水栓を簡単に組み立てることができる。
【発明を実施するための最良の形態】
【００１７】
以下、本発明の実施の形態について図面を参照しながら説明する。ここで、図１は本発明の一実施の形態に係る水栓の使用状態を概略的に示す斜視図、図２は前記水栓の構成を概略的に示す分解斜視図、図３（Ａ）は前記水栓の構成を概略的に示す部分断面側面図、図３（Ｂ）は図３（Ａ）におけるＡ−Ａ線断面図、図４は前記水栓の構成を概略的に示す縦断面図、図５は前記水栓の水栓本体の構成を概略的に示す部分断面側面図、図６（Ａ）は前記水栓本体の本体部の構成を概略的に示す部分断面正面図、図６（Ｂ）は図６（Ａ）のＸ−Ｘ線断面図、図６（Ｃ）は図６（Ａ）のＹ−Ｙ線断面図、図６（Ｄ）は図６（Ａ）のＺ−Ｚ線断面図、図７（Ａ）及び（Ｂ）は前記水栓本体の連接管の構成を概略的に示す縦断面図及び側面図、図８（Ａ）〜（Ｄ）は前記水栓本体の弁ユニットの構成を概略的に示す正面図、縦断面図、平面図及び底面図、図９（Ａ）は前記水栓本体のハウジングの構成を概略的に示す平面図、図９（Ｂ）は図９（Ａ）のＰ−Ｐ線断面図、図９（Ｃ）は図９（Ａ）のＱ−Ｑ線断面図、図９（Ｄ）及び（Ｅ）は前記ハウジングの構成を概略的に示す部分透視背面図及び底面図、図１０（Ａ）及び（Ｂ）は前記水栓本体の固定ねじの構成を概略的に示す部分透視正面図及び底面図、図１１（Ａ）は前記水栓の吐水部材の構成を概略的に示す縦断面図、図１１（Ｂ）は図１１（Ａ）におけるＢ−Ｂ線断面図である。
【００１８】
この実施の形態（以下、本例という）に係る水栓は、図１に示すように、洗面台Ｓに設置されたシングルレバー式の湯水混合水栓であり、水栓本体１内で湯（熱水）及び水（冷水）を任意の比率で混合した混合水Ｍを形成し、この混合水Ｍを吐水部材２の吐水口３から吐出する。すなわち、水栓は、図２に示すように、水栓本体１と、これに装着される吐水部材２とを備えている。
【００１９】
まず、水栓本体１の構成について説明する。
【００２０】
水栓本体１は、図３（Ａ）、図４〜図６（特に図６参照）に示すように、金属（本例では銅合金）製で略円柱状の本体部４を備えている。この本体部４は、上部側面に弁ユニット２０（詳細は後述する）を装着するためのシート部５を有し、本体部４内には、湯流路６、水流路７及び混合水流路８が設けられている。
【００２１】
湯流路６、水流路７及び混合水流路８の一端部６ａ，７ａ，８ａはそれぞれシート部５に連通している。そして、湯流路６及び水流路７は本体部４の下部にまで延び、湯流路６の他端部には給湯路をなす配管９が接続され、水流路７の他端部には給水路をなす配管１０が接続されている。一方、混合水流路８も本体部４の下部にまで延びており、この混合水流路８と、本体部４の下部背面に開口した背面開口部１１とは連通している。尚、図４、図６（Ａ）、（Ｃ）、（Ｄ）には、混合水流路８が本体部４の下方に開通した状態を図示してあるが、混合水流路８の下端部は、図３（Ａ）及び図５に示すように閉塞部材１２によって閉塞されるのであり、図４、図６（Ａ）、（Ｃ）、（Ｄ）ではこの閉塞部材１２の図示を省略してある。
【００２２】
そして、本体部４の背面に設けられた背面開口部１１には、図７（Ａ）及び（Ｂ）に示す金属製（本例では銅合金製）の連接管１３が挿入接続される。図７（Ａ）に示すように、この連接管１３の先端側は後端側よりも外径が小さく、また、先端側の外周面には雄ねじ１３ａが形成されており、この雄ねじ１３ａは、背面開口部１１に形成された雌ねじ１１ａに螺着可能である（図３（Ａ）及び図５参照）。すなわち、連接管１３の雄ねじ１３ａを背面開口部１１の雌ねじ１１ａに螺着することにより、背面開口部１１に対して連接管１３が接続される。尚、この接続状態におけるシール性を確保するために、連接管１３には三つのシール部材（本例では合成ゴム製のＯリング）１３ｂが装着されている。
【００２３】
さらに、図７（Ａ）及び（Ｂ）に示すように、連接管１３の後端側の内周壁部分１３ｃは、断面視が非円形状（本例では正六角形状）となっている。これにより、内周壁部分１３ｃに対してこれに係合する適宜の工具（本例では六角レンチ）を挿入し、この工具を回動操作すれば、連接管１３を背面開口部１１に容易に接続することができる。
【００２４】
図４及び図８（Ａ）〜（Ｄ）に示すように、シート部５には、カートリッジタイプの弁ユニット２０が横向きに装着される。この弁ユニット２０は、セラミック製の固定ディスク２１及び可動ディスク２２と、合成樹脂製のガイド２３とを収容した合成樹脂製のケース体２４を備えている。
【００２５】
固定ディスク２１には、図８（Ｂ）及び（Ｄ）に示すように、湯流路６に連通する給湯用貫通孔２５と、水流路７に連通する給水用貫通孔２６と、混合水流路８に連通する混合水用貫通孔２７とが設けられ、可動ディスク２２には、図８（Ｂ）に示すように、凹部２８が形成され、この凹部２８は固定ディスク２１に向けて開放されている。
【００２６】
また、ガイド２３には、図８（Ｂ）に示す金属製（本例ではステンレス製）のピン２９が固定され、このピン２９は、図８（Ａ）〜（Ｃ）に示すように、ケース体２４の外部に突出する合成樹脂製の栓棒３０を枢支する。そして、この栓棒３０には、図４に示すようにレバー３１が固定されている。
【００２７】
弁ユニット２０の作動について説明すると、まず、固定ディスク２１の給湯用貫通孔２５及び給水用貫通孔２６には、本体部４の湯流路６及び水流路７を経た湯及び水が流入する。そして、可動ディスク２２の凹部２８が、給湯用貫通孔２５、給水用貫通孔２６及び混合水用貫通孔２７に跨がる位置にあれば、給湯用貫通孔２５及び給水用貫通孔２６に流入した湯水が凹部２８において合流して混合水Ｍとなり、その後、この混合水Ｍは固定ディスク２１の混合水用貫通孔２７を経て、本体部４の混合水流路８に至る。
【００２８】
ここで、レバー３１が図４に示す状態にある場合、可動ディスク２２はケース体２４内の一方側に寄った位置にあり、この可動ディスク２２の凹部２８は固定ディスク２１の混合水用貫通孔２７のみに連通し、給湯用貫通孔２５及び給水用貫通孔２６には跨がっていないため、凹部２８に湯水が流入することはなく、止水状態となる。そして、レバー３１が図４に示す矢印Ｔ方向に傾動すると（このとき、栓棒３０はピン２９回りに回動する）、栓棒３０の作用により可動ディスク２２がケース体２４の他方側に向けて移動し、この移動量が所定以上であれば、凹部２８が給湯用貫通孔２５、給水用貫通孔２６にも跨がり、吐水状態となる。尚、可動ディスク２２がケース体２４の他方側に移動するほど、給湯用貫通孔２５、給水用貫通孔２６から凹部２８に流入する湯水の流量が上昇し、従って、本体部４の混合水流路８に至る湯水（混合水Ｍ）の流量が上昇する。
【００２９】
また、レバー３１が図３（Ａ）に示す矢印Ｈ方向に回動されるに伴って、可動ディスク２２の凹部２８と給湯用貫通孔２５との連通度合いが、凹部２８と給水用貫通孔２６との連通度合いよりも大きくなり、混合水Ｍにおける湯の割合が増える。また、レバー７を逆方向（矢印Ｃ方向）に回動させれば、凹部２８と給水用貫通孔２６との連通度合いが凹部２８と給湯用貫通孔２５との連通度合いよりも大きくなり、混合水Ｍにおける水の割合が増える。
【００３０】
尚、弁ユニット２０は、本体部４の湯流路６及び水流路７から導入された湯水を混合水流路８に導出する際に、湯水の混合比率及び導出流量の調整を、レバー３１により行えればよいのであって、そのための機構には、例えば本出願人の先願に係る特開２００５−２８２６５８号公報の図３に記載の構成等、公知の構成を採用することができるのであり、弁ユニット２０のより詳細な説明はここでは省略する。
【００３１】
そして、本体部４及び弁ユニット２０は、図２、図３（Ａ）、図４、図５、図９（Ａ）〜（Ｅ）（特に図９（Ａ）〜（Ｅ）参照）に示す鋳物（本例では銅合金製）からなるハウジング４０に収容、装着される。このハウジング４０の側方には、図９（Ｃ）及び（Ｄ）に示すように、弁ユニット２０の装着に用いられる突出筒部４１が設けられている。また、ハウジング４０の背面（後面）には、図２及び図９（Ｄ）に示すように、略円形状の後側開口部４２が設けられ、この後側開口部４２は本体部４の背面開口部１１に連通し、背面開口部１１と後側開口部４２とによって一つの開口部（後向き開口部）Ｈが形成される（図５参照）。
【００３２】
また、ハウジング４０には、図２、図３（Ａ）及び図９（Ｄ）に示すように、上端が後側開口部４２の内側空間に連通し、下端がハウジング４０の下方に開放された斜めに延びる二つのねじ孔４３が左右対称に形成されている。尚、図２に示すように、ハウジング４０の背面の左右には後方に突出する段部４４が設けられているため、各ねじ孔４３がハウジング４０の側方に表れることはない。
【００３３】
図３（Ｂ）に示すように、各ねじ孔４３の内壁面には雌ねじ４３ａが設けられ、この雌ねじ４３ａに螺着する雄ねじ４５ａを有する固定ねじ４５が、それぞれねじ孔４３に螺着される。
【００３４】
固定ねじ４５の先端部には、図１０（Ａ）及び（Ｂ）に示すように、窪み部４５ｂと、この窪み部４５ｂの周縁から後端側に向かうテーパ面４５ｃとが設けられている。また、固定ねじ４５には、その後端面から先端側に向けて延び断面視非円形状（本例では正六角形状）の内周壁部分を有する凹入部４５ｄが設けられている。これにより、凹入部４５ｄに対してその内周壁部分に係合する適宜の工具（本例では六角レンチ）を挿入し、この工具を回動操作すれば、固定ねじ４５をねじ孔４３に容易に螺着することができる。
【００３５】
さらに、図９（Ｄ）に示すように、ハウジング４０の背面上部（後側開口部４２よりも上方）には、凹部４６が設けられている。
【００３６】
次に、吐水部材２の構成について説明する。
【００３７】
吐水部材２は、金属製（本例ではステンレス製）の部材であり、図２、図３（Ａ）、図１１（Ａ）及び（Ｂ）に示すように、曲げ板状の外観を呈する吐水管５１を備え、この吐水管５１は、略鉛直方向に延びる基部５２と、この基部５２の上方から基部５２の前方に向かって山なりに延びる山形部５３とを有し、山形部５３の先端側に横長の吐水口３が設けられている。
【００３８】
また、図２、図３（Ａ）、図１１（Ａ）及び（Ｂ）に示すように、基部５２の前面下部に金属製（本例ではステンレス製）で略円筒状の筒部５４が設けられている。尚、この筒部５４は、例えば溶接により基部５２に接合されている。そして、筒部５４の内部と基部５２（吐水管５１）の内部とが連通するように、基部５２の前面において筒部５４が接合される箇所には開口が形成されている。
【００３９】
ここで、図１１（Ａ）に示すように、筒部５４の外周面にはこの外周面の周方向に沿って環状のテーパ溝５５が設けられている。
【００４０】
また、図２、図３（Ａ）、図１１（Ａ）及び（Ｂ）に示すように、基部５２の前面上部に金属製（本例ではステンレス製）で略円筒状の凸部５６が設けられている。尚、この凸部５６は、例えば溶接により基部５２に接合されている。
【００４１】
次に、水栓本体１に吐水部材２を取り付ける方法について説明する。
【００４２】
（１）予め、図２に示すように水栓本体１、吐水部材２をそれぞれ組み立てておく。このとき、水栓本体１のねじ孔４３に固定ねじ４５は螺着していない状態としておく。
【００４３】
（２）まず、水栓本体１の凹部４６、後向き開口部Ｈに、吐水部材２の凸部５６、筒部５４を各々挿入する（図２及び図３（Ａ）参照）。
【００４４】
これにより、吐水部材２のおおよその位置決めがなされる。尚、凹部４６と凸部５６との間には若干の間隙があり、また、後向き開口部Ｈと筒部５４との間にも隙間があるので、吐水部材２が完全に位置決めされるわけではない。
【００４５】
また、このとき、図３（Ａ）に示すように、筒部５４は、後向き開口部Ｈの内側において、水栓本体１の後側に向けて延びる連接管１３に外嵌されることになる。
【００４６】
（３）続いて、二つの固定ねじ４５を二つのねじ孔４３内に対して各々の下方からそれぞれ螺進させ、各固定ねじ４５の先端部（テーパ面４５ｃ）を筒部５４のテーパ溝５５の溝壁に当接させる（図２及び図３（Ｂ）参照）。
【００４７】
すなわち、二つの固定ねじ４５を螺進させるに伴って、各固定ねじ４５の先端部（テーパ面４５ｃ）がテーパ溝５５の溝壁に当接してからもこの溝壁上を滑り、やがて水栓本体１の背面と吐水部材２の基部５２の前面との間の隙間がなくなって吐水部材２が完全に位置決めされるとともに、筒部５４ひいては吐水部材２が水栓本体１に対して強固に固定されることになる。
【００４８】
以上で水栓本体１に対する吐水部材２の取付けが完了し、このようにして組み立てられた水栓では、吐水口３からの幅広で帯状（膜状）の吐水を良好に行うことができる。すなわち、従来の幅広吐水を行わせる水栓では、この幅広吐水を確実に行わせるために、吐水口の上流側に堰を形成するための部材が別途設けられていたので、吐水口周辺の構造が複雑化したり大型化するという問題があった。
【００４９】
しかし、本例の水栓では、吐水部材２が、吐水口３の上流側に、筒部５４内から水栓本体１の後方及び上方をこの順に経て水栓本体１の前方に至る水路を形成しており、吐水部材２の基部５２から山形部５３の最上部５３ａまでの流路が堰としての役割も同時に果たすため、従来のような堰を形成するための部材を別途設ける必要がなく、従って、それだけ吐水口３周辺の構造をシンプルかつ小型化、薄型化することができる。
【００５０】
また、二つの固定ねじ４５が筒部５４に対して左右対称にかつ強固に当接しているので、人が吐水口３の左右端部を誤ってあるいは意図的に下方に押圧しても、その押圧力により吐水部材２の取付け姿勢が歪むことはない。
【００５１】
さらに、吐水部材２の筒部５４にテーパ溝５５を設け、このテーパ溝５５の溝壁に固定ねじ４５を当接させることにより吐水部材２を水栓本体１に固定する構成を採用しているので、二つのねじ孔４３を設けるために高精度な加工が要求されず、それだけ本例の水栓は低コストで製造することができる。
【００５２】
尚、本例の水栓は、各部材の材料や形状等の構成要素を適宜変更することができる。そこで、以下に本例の変形例を示す。
【００５３】
本例では水栓を湯水混合水栓としてあるが、これに限らず、単水栓であってもよい。
【００５４】
また、本例では水栓をシングルレバー式の水栓としてあるが、図１２（Ａ）及び（Ｂ）に示すように、二つのハンドル（湯流量調整ハンドル６１及び水流量調整ハンドル６２）を有するタイプの水栓であってもよい。
【００５５】
また、本例では水栓を洗面台Ｓに設置してあるが、図１２（Ｂ）に示すように、水栓を浴槽Ｕに設置してあってもよい。
【００５６】
また、本例では吐水部材２をステンレス製としてあり、材料強度があるので吐水部材の中間部分が撓むことがない。しかし、吐水部材２を樹脂製としてもよく、この場合、吐水部材２の中間部分が撓むことを防止するために、適宜の箇所にリブを設ければよい。
【００５７】
また、本例では凹部４６と凸部５６とを一つずつのみ設けてあるが、二つ以上ずつ設けてあってもよい。
【００５８】
また、本例ではねじ孔４３及び固定ねじ４５を左右対称に２対設けてあるが、１対のみ設けてあってもよく、左右対称に３対以上設けてあってもよい。
【図面の簡単な説明】
【００５９】
【図１】本発明の一実施の形態に係る水栓の使用状態を概略的に示す斜視図である。
【図２】前記水栓の構成を概略的に示す分解斜視図である。
【図３】（Ａ）は前記水栓の構成を概略的に示す部分断面側面図、（Ｂ）は（Ａ）におけるＡ−Ａ線断面図である。
【図４】前記水栓の構成を概略的に示す縦断面図である。
【図５】前記水栓の水栓本体の構成を概略的に示す部分断面側面図である。
【図６】（Ａ）は前記水栓本体の本体部の構成を概略的に示す部分断面正面図、（Ｂ）は（Ａ）のＸ−Ｘ線断面図、（Ｃ）は（Ａ）のＹ−Ｙ線断面図、（Ｄ）は（Ａ）のＺ−Ｚ線断面図である。
【図７】（Ａ）及び（Ｂ）は前記水栓本体の連接管の構成を概略的に示す縦断面図及び側面図である。
【図８】（Ａ）〜（Ｄ）は前記水栓本体の弁ユニットの構成を概略的に示す正面図、縦断面図、平面図及び底面図である。
【図９】（Ａ）は前記水栓本体のハウジングの構成を概略的に示す平面図、（Ｂ）は（Ａ）のＰ−Ｐ線断面図、（Ｃ）は（Ａ）のＱ−Ｑ線断面図、（Ｄ）及び（Ｅ）は前記ハウジングの構成を概略的に示す部分透視背面図及び底面図である。
【図１０】（Ａ）及び（Ｂ）は前記水栓本体の固定ねじの構成を概略的に示す部分透視正面図及び底面図である。
【図１１】（Ａ）は前記水栓の吐水部材の構成を概略的に示す縦断面図、（Ｂ）は（Ａ）におけるＢ−Ｂ線断面図である。
【図１２】（Ａ）は前記水栓の変形例の構成を概略的に示す斜視図、（Ｂ）はその使用状態を概略的に示す斜視図である。
【符号の説明】
【００６０】
１    水栓本体
２    吐水部材
３    吐水口
１３    連接管
４３    ねじ孔
４５    固定ねじ
４６    凹部
５４    筒部
５５    テーパ溝
５６    凸部
Ｈ    後向き開口部
【図１】
2010126930.tif 000003
【図２】
2010126930.tif 000004
【図３】
2010126930.tif 000005
【図４】
2010126930.tif 000006
【図５】
2010126930.tif 000007
【図６】
2010126930.tif 000008
【図７】
2010126930.tif 000009
【図８】
2010126930.tif 000010
【図９】
2010126930.tif 000011
【図１０】
2010126930.tif 000012
【図１１】
2010126930.tif 000013
【図１２】
2010126930.tif 000014